(57)【要約】【課題】本発明は、生活者の安否情報を通知先が確認したことを生活者に知らしめ、生活者に安心感を与えるトイレ装置を利用した安否確認システムを提供することを課題とする。【解決手段】見守りを必要とする世帯のトイレ装置の利用を検知する検知手段と、検知手段の出力に基づいてトイレ装置の利用状況を出力する通信機と、通信先である通信端末装置と、通信機と通信端末装置がサーバーを介して送受信するように接続されたトイレ装置を利用した安否確認システムであって、サーバーは、トイレ装置の利用状況のデータを蓄積し、蓄積したデータを通信端末装置から確認可能とするとともに、通信端末装置によるトイレ装置の利用状況の確認により、通信機に確認信号を送信し、トイレ装置は、表示部を備え、通信機の確認信号受信に基づいて表示部の表示を変化させるものである。【選択図】図１
2015069433.tif 000002
【特許請求の範囲】
【請求項１】
見守りを必要とする世帯のトイレ装置の利用を検知する検知手段と、前記検知手段の出力に基づいて前記トイレ装置の利用状況を出力する通信機と、通信先である通信端末装置と、前記通信機と前記通信端末装置がサーバーを介して送受信するように接続されたトイレ装置を利用した安否確認システムであって、
前記サーバーは、前記トイレ装置の利用状況のデータを蓄積し、前記蓄積したデータを前記通信端末装置から確認可能とするとともに、前記通信端末装置による前記トイレ装置の利用状況の確認により、前記通信機に確認信号を送信し、
前記トイレ装置は、表示部を備え、前記通信機の確認信号受信に基づいて前記表示部の表示を変化させることを特徴とするトイレ装置を利用した安否確認システム。
【請求項２】
前記トイレ装置は、前記トイレ装置が設置されたトイレルームの外部に表示装置を備え、前記通信機の確認信号受信に基づいて前記表示装置の表示を変化させることを特徴とする請求項１記載のトイレ装置を利用した安否確認システム。
【請求項３】
見守りを必要とする世帯のトイレ装置の利用を検知する検知手段と、前記検知手段の出力に基づいて前記トイレ装置の利用状況を出力する通信機と、通信先である通信端末装置と、前記通信機と前記通信端末装置がサーバーを介して送受信するように接続されたトイレ装置を利用した安否確認システムであって、
前記サーバーは、前記トイレ装置の利用状況のデータを蓄積し、前記蓄積したデータを前記通信端末装置から確認可能とするとともに、前記通信端末装置による前記トイレ装置の利用状況の確認により、前記通信機に確認信号を送信し、
前記トイレ装置は、照明装置を備え、前記通信機の確認信号受信に基づいて前記照明装置の発光色を変化させることを特徴とするトイレ装置を利用した安否確認システム。
【発明の詳細な説明】
【技術分野】
【０００１】
本発明は、一人暮らしの高齢者等の見守りを必要とする生活者の安否を確認するための安否確認システムに関する。
【背景技術】
【０００２】
近年、独居生活者が増加しており、特に、高齢化社会の進行に伴い、一人暮らしの高齢者、或いは高齢者夫婦のみの世帯が増加の一途をたどっている。
【０００３】
一方、近年の過疎化、近所付き合いの減少等により、近隣の人々による見守りも期待できなくなり、また、生活支援員等による支援にも限度があることから、高齢者や独居生活者等の安否確認が充分に行えない場合が多く、異常発生に対する対応が遅れる問題が発生している。
【０００４】
このような問題の対策として、高齢者や独居生活者等の、見守りを必要とする生活者の異常の有無を監視する「見守りサービス」が望まれ、見守りシステムが提案されている。
【０００５】
安否を確認する対象機器として、必ず人が一日に数回使用するものとして、トイレ装置が考えられ、トイレ装置の使用状況により安否確認を行い、安否情報を通知先に電子メール等にて通知する技術が提案されている（例えば、特許文献１）。
【先行技術文献】
【特許文献】
【０００６】
【特許文献１】特開２０１３−２５４７２号公報
【発明の概要】
【発明が解決しようとする課題】
【０００７】
しかしながら、従来提案された見守りシステムは、生活者の安否情報を通知先に一方的に通知するのみで、通知先が安否情報を確認しているか否かを生活者が確認することができず、生活者に不安感を与える虞があった。
【０００８】
本発明は、上記従来技術の問題点に鑑みてなされたもので、生活者の安否情報を通知先が確認したことを生活者に知らしめ、生活者に安心感を与えるトイレ装置を利用した安否確認システムを提供することを課題とする。
【課題を解決するための手段】
【０００９】
上記従来の課題を解決するために、本発明のトイレ装置を利用した安否確認システムは、見守りを必要とする世帯のトイレ装置の利用を検知する検知手段と、前記検知手段の出力に基づいて前記トイレ装置の利用状況を出力する通信機と、通信先である通信端末装置と、前記通信機と前記通信端末装置がサーバーを介して送受信するように接続されたトイレ装置を利用した安否確認システムであって、前記サーバーは、前記トイレ装置の利用状況のデータを蓄積し、前記蓄積したデータを前記通信端末装置から確認可能とするとともに、前記通信端末装置による前記トイレ装置の利用状況の確認により、前記通信機に確認信号を送信し、前記トイレ装置は、表示部を備え、前記通信機の確認信号受信に基づいて前記表示部の表示を変化させるものである。
【００１０】
また、本発明のトイレ装置を利用した安否確認システムは、見守りを必要とする世帯のトイレ装置の利用を検知する検知手段と、前記検知手段の出力に基づいて前記トイレ装置
の利用状況を出力する通信機と、通信先である通信端末装置と、前記通信機と前記通信端末装置がサーバーを介して送受信するように接続されたトイレ装置を利用した安否確認システムであって、前記サーバーは、前記トイレ装置の利用状況のデータを蓄積し、前記蓄積したデータを前記通信端末装置から確認可能とするとともに、前記通信端末装置による前記トイレ装置の利用状況の確認により、前記通信機に確認信号を送信し、前記トイレ装置は、照明装置を備え、前記通信機の確認信号受信に基づいて前記照明装置の発光色を変化させるものである。
【発明の効果】
【００１１】
本発明のトイレ装置を利用した安否確認システムは、見守りを必要とする生活者に対して安全を確認していることを報知することができる。
【図面の簡単な説明】
【００１２】
【図１】本発明の実施の形態１のトイレ装置を利用した安否確認システムの概略構成図
【図２】同トイレ装置の概略構成図
【図３】同サーバーの動作を説明するフローチャート
【図４】同サーバーの動作を説明するフローチャート
【図５】同衛生洗浄装置の他の構成を示す斜視図
【発明を実施するための形態】
【００１３】
第１の発明は、見守りを必要とする世帯のトイレ装置の利用を検知する検知手段と、前記検知手段の出力に基づいて前記トイレ装置の利用状況を出力する通信機と、通信先である通信端末装置と、前記通信機と前記通信端末装置がサーバーを介して送受信するように接続されたトイレ装置を利用した安否確認システムであって、前記サーバーは、前記トイレ装置の利用状況のデータを蓄積し、前記蓄積したデータを前記通信端末装置から確認可能とするとともに、前記通信端末装置による前記トイレ装置の利用状況の確認により、前記通信機に確認信号を送信し、前記トイレ装置は、表示部を備え、前記通信機の確認信号受信に基づいて前記表示部の表示を変化させるものである。
【００１４】
上記構成により、見守りを必要とする生活者に対して安全を確認していることを報知することができる。トイレルームは非常にプライバシーの高い空間であり、このような場所で安否を確認していることをはっきり表示することは、精神的に苦痛を与える場合があり、変化をさりげないものにすることにより、安心感を与えることができる。
【００１５】
第２の発明は、第１の発明において、前記トイレ装置は、前記トイレ装置が設置されたトイレルームの外部に表示装置を備え、前記通信機の確認信号受信に基づいて前記表示装置の表示を変化させるものである。
【００１６】
トイレルーム以外の場所で安否を確認したことを表示させるよう構成することにより、よりトイレルームのプライバシーを守ることができる。
【００１７】
第３の発明は、見守りを必要とする世帯のトイレ装置の利用を検知する検知手段と、前記検知手段の出力に基づいて前記トイレ装置の利用状況を出力する通信機と、通信先である通信端末装置と、前記通信機と前記通信端末装置がサーバーを介して送受信するように接続されたトイレ装置を利用した安否確認システムであって、前記サーバーは、前記トイレ装置の利用状況のデータを蓄積し、前記蓄積したデータを前記通信端末装置から確認可能とするとともに、前記通信端末装置による前記トイレ装置の利用状況の確認により、前記通信機に確認信号を送信し、前記トイレ装置は、照明装置を備え、前記通信機の確認信号受信に基づいて前記照明装置の発光色を変化させるものである。
【００１８】
上記構成により、見守りを必要とする生活者に対して安全を確認していることを報知することができる。トイレルームは非常にプライバシーの高い空間であり、このような場所で安否を確認していることをはっきり表示することは、精神的に苦痛を与える場合があり、変化をさりげないものにすることにより、安心感を与えることができる。
【００１９】
以下、本発明の実施の形態について、図面を参照しながら説明する。なお、この実施の形態によって本発明が限定されるものではない。
【００２０】
（実施の形態１）
図１は、本発明の実施の形態１のトイレ装置を利用した安否確認システムを示し、高齢者や健康状態等の見守りを必要とする生活者が居住する住居のトイレ装置１００にトイレ装置１００の利用を検知する検知手段を配設し、トイレ装置１００に接続された通信機２００と、通信先の通信端末装置３００と、サーバー４００とがインターネット通信網５００を介して相互通信するように接続されたシステムである。
【００２１】
通信先は、高齢者や健康状態の確認を必要とする人等の、見守りを必要とする生活者の家族、親族、医療関係者等であり、通信端末装置３００は、携帯端末、パソコン等である。通信先及び通信端末装置３００は、本安否確認システムを利用する利用者が単数、或いは複数を適宜選択設定可能である。
【００２２】
次に、本実施の形態におけるトイレ装置を説明する。トイレ装置は、見守りを必要とする生活者が居住する世帯のトイレルームに設置される。
【００２３】
図２に示すように、トイレ装置１００は、本体１、便座２、便蓋３、リモートコントローラ４、人体検知センサ５を主構成部材として構成される衛生洗浄装置６を便器７の上面に設置して構成され、本体１と便座２と便蓋３は一体的に構成されている。衛生洗浄装置６には、通信機２００が接続され、通信機２００からトイレ装置１００の使用状態が送信される。
【００２４】
なお、本実施の形態においては、衛生洗浄装置６の本体１の設置側を後方、便座２の設置側を前方とし、前方に向かって右側を右方、前方に向かって左側を左方として各構成要素の配置を説明する。
【００２５】
本体１の側部には、操作部８が側方に突出して一体的に設けられ、操作部８には、衛生洗浄装置６の各機能を操作及び設定する複数のスイッチと表示灯が配設され、操作部８の上面後方には、リモートコントローラ４と人体検知センサ５から送信される赤外線信号を受信する赤外線受信部が配置されている。
【００２６】
リモートコントローラ４は、便座２上に着座した使用者が操作のしやすいトイレルームの壁面等の場所に取り付けられ、上面と前面に衛生洗浄装置６の各機能を操作及び設定する複数のスイッチと表示灯が設置されている。リモートコントローラ４は、各スイッチの操作及び設定を本体１の赤外線受信部に赤外線送信する赤外線送信部を有している。
【００２７】
衛生洗浄装置６の多くの操作は、操作部８、或いは本体１とは別体に構成されたリモートコントローラ４により行われる。
【００２８】
人体検知センサ５は、衛生洗浄装置６及びリモートコントローラ４とは別体、或いはリモートコントローラ４と一体に構成され、トイレルームの壁面等に取り付けられる。人体検知センサ５は、人体からの体温などによる温度変化を検出する焦電センサと、焦電センサが検出した人体の温度変化による信号で人体の検出を判定するセンサ制御部と、センサ
制御部からの人体検知信号を本体１の赤外線受信部に赤外線で送信する赤外線送信部とを有している。
【００２９】
本体１には、制御部が設けられ、操作部８及びリモートコントローラ４の操作に基づいて衛生洗浄装置６の各機能を制御する。また、本体１の制御部は、人体検知センサ５からの赤外線信号に基づいて、トイレルームへの入室があると、便蓋３を開放するとともに、便座２に埋設されたヒータに通電して、便座２を加温する。また、人体検知センサ５からの赤外線信号が一定時間受信されない場合は、トイレルームからの退室と判断し、一定時間後に、便蓋３を閉塞するとともに、便座２のヒータへの通電を遮断或いは通電量を低下させる。
【００３０】
衛生洗浄装置６は、トイレ装置１００の利用を検知する検知手段を備えている。検知手段としては、人体検知センサ５を用いてもよく、便座２への着座を検出するセンサ、便蓋３や便座２の開閉を検出するセンサ、或いは排水操作を検出するセンサを設け、いずれかのセンサを検知手段として用いてもよく、トイレ装置１００の利用を検知できる検知手段であれば、上記以外のセンサを用いてもよい。また、操作部８及びリモートコントローラ４の操作がなされたことを制御部が検知したことを検知手段として用いる構成としてもよい。検出手段は、通信機２００に信号を直接出力してもよく、本体１の制御部を介して通信機２００に出力する構成としてもよい。
【００３１】
本実施の形態では、検知手段として人体検知センサ５を用い、通信先である通信端末装置３００として携帯端末を用いている。
【００３２】
以下に、本実施の形態のトイレ装置を利用した安否確認システムのサーバー４００の動作を図３に示すフローチャートに基づいて説明する。
【００３３】
人体検知センサ５がトイレルームへの入室を検出すると、人体検知センサ５から赤外線信号が衛生洗浄装置６の制御部に送信され、制御部が通信機２００に入室信号を出力する。人体検知センサ５がトイレルーム内の人体を検出しなくなると、人体検知センサ５から赤外線信号が送信されなくなり、衛生洗浄装置６の制御部は、人体検知センサ５からの赤外線信号の受信停止から一定時間後に、通信機２００に退室信号を出力する。通信機２００は、受信した入室信号及び退室信号をサーバー４００に送信する。
【００３４】
サーバー４００は、通信機２００からトイレルームへの入室信号を受信すると（ステップＳ１）、入室時刻を記憶するとともに入室時間（入室から退室までの時間）の計測を開始する（ステップＳ２）。通信機２００から退室信号を受信すると（ステップＳ３）、入室時間の計測を停止し、入室時刻とともに入室時間を記憶する（ステップＳ４）。
【００３５】
入室時間が予め定めた設定入室時間（例えば１時間）を経過しても退室を検出しない場合には（ステップＳ５）、トイレルーム内で異常が発生した可能性があることを報知する警報信号を送信する（ステップＳ６）。
【００３６】
サーバー４００からの警報信号は、通信端末装置３００に送信される。通信端末装置３００への警報信号は、トイレルーム内で異常が発生した可能性があることを電子メールとともに音声で送信される。
【００３７】
警報信号を受けた利用者は、直接生活者の安否を確認する、或いは、第三者に生活者の安否の確認を依頼することができる。
【００３８】
図４は、生活者が無事であることを知らせるサーバー４００の無事情報送信処理のフロ
ーチャートである。
【００３９】
サーバー４００は、トイレルームへの入退室があった際に（ステップＳ１１）、その入退室がその日の最初の入退室であった場合には（ステップＳ１２）、入退室があったことを入室時刻とともに通信端末装置３００に送信する（ステップＳ１３）。入退室と入室時刻は、通信端末装置３００にトイレ利用メールとして電子メールにて送信される。通信端末装置３００への電子メールの送信の有無は利用者が適宜選択することができる。サーバー４００は、トイレルームへの入室時刻及び入室時間を記憶する（ステップＳ１４）。
【００４０】
利用者は、電子メールの受信により、生活者の安否を確認できるとともに、その日の最初のトイレ装置の利用時刻を確認して、生活者の体調、起床時刻等を推測することができる。
【００４１】
サーバー４００は、予め設定した時刻に（ステップＳ１５）、当日のトイレ装置の利用状況を通信端末装置３００に電子メールにて送信する（ステップＳ１６）。所定の期間、たとえば、１週間分のトイレ装置の利用状況を通信端末装置３００に電子メールにて送信するように設定することもでき、利用者は電子メールの送信の有無を適宜選択することもできる。
【００４２】
サーバー４００は、毎日の全てのトイレルームへの入室時刻と入室時間を日にちごとに記憶し、通信端末装置３００からの指示によりデータを削除する。また、予め定めた期間内のデータを保持し、定められた期間を超えたデータを削除するようにしてもよく、利用者が前記の構成を選択できるようにしてもよい。
【００４３】
通信先である通信端末装置３００を利用して、サーバー４００に対してトイレルームの利用状況を確認することが可能である。利用状況を確認することにより、サーバー４００からインターネット通信網５００を介して通信機２００に確認信号が送信される。また、通信端末装置３００に送信されたトイレ利用メールに対する返信メールとしてサーバー４００に返信することにより、サーバー４００から確認信号を出力することも可能である。
【００４４】
通信機２００は、確認信号を受信すると、衛生洗浄装置６の制御部に出力する。衛生洗浄装置６の操作部８の前方位置には、図５に示すように、発光部９を配置しており、制御部は、確認信号を受信すると、発光部９を点灯させる。発光部９は、便座２に配設したヒータの通電状態を表示する表示部とし、確認信号を受信した際の表示を通常とは異なる色に変化させるようにしてもよい。また、確認信号を受信した際に、操作部８の表示部の他の表示手段を通常とは異なる色、或いは通常とは異なる表示に変化させてもよい。通常時に点灯状態となる表示部を、点滅させるようにしてもよい。また、衛生洗浄装置６に照明装置、例えば、足元を照射する照明装置を設け、照明装置の発光色を変化させるよう構成してもよい。
【００４５】
また、制御部は、確認信号を受信すると、リモートコントローラ４の表示部を通常とは異なる色、或いは通常とは異なる表示に変化させるようにしてもよい。また、通常時に点灯状態となる表示部を、点滅させるようにしてもよい。リモートコントローラ４の表示部として液晶が用いられている場合には、メッセージを表示させるように構成してもよい。
【００４６】
この表示の変化は、人体検知センサ５によりトイレルームへの入室を検出して所定時間後に行われ、トイレルームから退室するまで継続される。トイレルームへの入室から所定時間後に表示を変化させることにより、生活者に表示が変化したことを認識し易くことができる。
【００４７】
また、表示の変化は、通常状態と変化させた状態とを所定時間ごとに切り換えるように構成してもよい。所定時間ごとに切り換えることにより、生活者により認識し易くすることができる。
【００４８】
このように、表示の変化をさりげない変化として、見守りを必要とする生活者に対して安全を確認していることを報知する。
【００４９】
トイレルームは非常にプライバシーの高い空間であり、このような場所で安否を確認していることをはっきり表示することは、精神的に苦痛を与える場合があり、さりげない表示とすることにより、安心感を与えることができる。
【００５０】
トイレルームの外部、たとえば、居間等にトイレ装置の構成要素としてフォトフレームを配置し、フォトフレームの写真を変更するなど、トイレルーム以外の場所で安否を確認したことを表示させるよう構成することによって、よりトイレルームのプライバシーを守るようにしてもよい。
【産業上の利用可能性】
【００５１】
以上のように、本発明に係るトイレ装置を利用した安否確認システムは、システムの利用者が見守りを必要とする生活者の安否を確認していることを生活者に対して伝達することができるので、生活者に安心感を与えることができ、特に、独居生活者に対しても有益に使用することができる。
【符号の説明】
【００５２】
４    リモートコントローラ
５    人体検知センサ
６    衛生洗浄装置
８    操作部
９    発光部
１００    トイレ装置
２００    通信機
３００    通信端末装置
４００    サーバー
５００    インターネット通信網
【図１】
2015069433.tif 000003
【図２】
2015069433.tif 000004
【図３】
2015069433.tif 000005
【図４】
2015069433.tif 000006
【図５】
2015069433.tif 000007